(57)【要約】【課題】  特定の人々の間で情報を共有でき、かつ情報を第三者に盗まれる恐れもなく、紛失した場合にもその漏洩が防止できるＱＲコードを備えた身飾品を提供する。【解決手段】  月形と円形の２個の身飾品１１、２１を構成し、この身飾品１１、２１の各々の端面１５、２５を隙間なく突き合わせて１個の円形の身飾品を構成する。この月形と円形の身飾品１１、２１の表面にわたって１個のＱＲコードを構成し、読み取り手段によってＱＲコードの内容を読み取り可能にした。【選択図】図２
0003133115.tif 000002
【実用新案登録請求の範囲】
【請求項１】
２個以上の身飾品の各々の端面を隙間なく突き合わせ、前記各身飾品のそれぞれの表面にわたってＱＲコードを構成したＱＲコードを備えた身飾品。
【請求項２】
前記身飾品を２個のペンダントヘッドによって構成し、かつこれらのペンダントヘッドの各々の端面を突き合わせると１個の円形のペンダントヘッドを構成することを特徴とする請求項１記載のＱＲコードを備えた身飾品。
【考案の詳細な説明】
【技術分野】
【０００１】
本考案は、各々の表面にわたって１個のＱＲコードを構成した２個以上の身飾品に関するものである。
【背景技術】
【０００２】
従来よりペンダントヘッドの表面にＱＲコードを装着したものがあった。
下記の特許文献に示すものは、ＱＲコード携帯用ペンダントヘッドおよびＱＲコード迷子札である。この考案によれば、電話番号、住所、氏名などの個人情報をＱＲコード化し、そのＱＲコードを印刷したものをペンダントヘッドに装着し、個人が情報を発信したいときに、発信する相手のＱＲコード読み取り手段に読み取らせることで、迅速、正確に情報を伝達するものである。
【特許文献１】実用新案登録第３１２２８６９号
【０００３】
前記の特許文献１に記載の考案は、ペンダントヘッド表面にＱＲコードの印刷物を装着したものであるから、ＱＲコードの内容は肉眼では識別できないが、ＱＲコード読み取り手段を有する者であれば誰でもがその記載内容を読み取ることができる。そのため、ＱＲコードにインプットされた秘密事項や他人に知られたくない事項を他人に盗まれる危険性があった。
【考案の開示】
【考案が解決しようとする課題】
【０００４】
本考案は上記の点に鑑みなされたものであり、２個以上の身飾品の表面にわたって１個のＱＲコードを構成し、これらの身飾品を２名以上が別々に所持することでＱＲコードを分割して所持し、情報を安全に共有できるＱＲコードを備えた身飾品を提供するものである。
【課題を解決するための手段】
【０００５】
本考案の要旨とするところは、２個以上の身飾品の各々の端面を隙間なく突き合わせ、前記各身飾品のそれぞれの表面にわたってＱＲコードを構成したＱＲコードを備えた身飾品である。
【０００６】
また本考案の要旨とするところは、前記身飾品を２個のペンダントヘッドによって構成し、かつこれらのペンダントヘッドの各々の端面を突き合わせると１個の円形のペンダントヘッドを構成するＱＲコードを備えた身飾品である。
【考案の効果】
【０００７】
本考案は上記の如き構成であり、ＱＲコードを構成した各身飾品を特定の人々が身に付けて別々に所持できるため、各身飾品上に構成したＱＲコードの内容は各自がそれぞれ一部分ずつ所持できる。この個々の身飾品からは情報の内容を読み取ることはできないため、第三者にその内容を知られることはなく安全であり、所持者だけの秘密事項も安心して記載できる。また個々の身飾品を紛失した場合でも情報の漏洩が防げる。
そして、ＱＲコードの情報を知りたいときには、各身飾品を突き合わせて読み取り手段で読み取ることにより容易に知ることができる。
【０００８】
また、身飾品を２個のペンダントヘッドによって構成し、突き合せた状態で１個の円形のペンダントヘッドを構成するようにした場合には、身飾品を常にペンダントヘッドとして肌身離さず所持でき、かつデザイン的にも面白く、装飾的効果も優れている。
【考案を実施するための最良の形態】
【０００９】
本考案を実施するための最良の形態は、月形と円形の２個のペンダントヘッドを構成する。この２個のペンダントヘッドの各々の端面を隙間なく突き合わせて１個の円形のペンダントヘッドを構成し、この月形と円形のペンダントヘッドの表面にわたって１個のＱＲコードを構成したものである。
【００１０】
以下、本考案の第１実施形態を図に基づいて説明する。
図１は第１実施形態のペンダントヘッドを突き合わせた状態の正面図、図２は同分離した状態の正面図である。
【００１１】
本実施形態は身飾品をペンダントヘッドによって構成している。このペンダントヘッドは、図示のように月形ペンダントヘッド１１と円形ペンダントヘッド２１からなる。この２個のペンダントヘッド１１、２１はその端面１５、２５を突き合わせると隙間なく接触して図１に示すように円形となる。
【００１２】
この突き合わせた状態で表面にＱＲコード１０を構成する。この構成方法は、２個のペンダントヘッド１１、２１の表面にＱＲコード１０を投影し、投影した部分を適正な深さに彫刻した上で、いぶし加工等を施すことにより黒く着色して読み取りできるようにするのである。
そして、月形ペンダントヘッド１１の端部でＱＲコード１０と干渉しない位置に穴部１２を穿設し、この穴部１２にバチ環１３を通してチェーン１４を掛け渡す。
円形ペンダントヘッド２１も同様に、端部でＱＲコード１０と干渉しない位置に穴部２２を穿設し、この穴部２２にバチ環２３を通してチェーン２４を掛け渡す。
【００１３】
前記ペンダントヘッド１１、２１はシルバー製の表面ホーニング仕上げで作成したが、これに限定されず任意の材質、仕上げ方法を採用できる。またサイズも任意である。
【００１４】
次に、本実施形態の作用について説明する。
前記のように構成した月形ペンダントヘッド１１と円形ペンダントヘッド２１を図２のように分離して、それぞれ友人、恋人、夫婦、親子等の２名で所有しペンダントヘッドとして使用する。
【００１５】
月形ペンダントヘッド１１と円形ペンダントヘッド２１を各自が別々に使用しているときは、表面に模様の施されたペンダントヘッドとして機能するが、もちろん表面のＱＲコード１０は解読できない。ＱＲコード１０を読み取るときは、２名がそれぞれのペンダントヘッド１１、１２を突き合わせて図１の状態として携帯電話等の読み取り手段で読み取ればよい。
【００１６】
上記のように本実施形態によれば、２名だけの秘密のメッセージあるいは重要な事項を、第三者には分からない状態で所持することができる。また月形ペンダントヘッド１１と円形ペンダントヘッド２１のどちらかを紛失しても、解読できないため秘密は保持される。 
さらには通常はペンダントヘッドとして肌身はなさず所持することができる。
【００１７】
ペンダントヘッドの形状は前記実施形態に限定されず任意の形状を選択できる。例えば図３に示す第２実施形態は、表面にＱＲコード１０を構成した円形のペンダントヘッド４０の中央部をＳ字状の線で２個のペンダントヘッド４１、５１に分割したものである。
また図４に示す第３実施形態は、表面にＱＲコード１０を構成した長方形のペンダントヘッド６０の中央部を波状の線で２個のペンダントヘッド６１、７１に分割したものである。
これら実施形態のその他の構成、作用、効果は、前記第１実施形態と同様であるため説明は省略する。
なお、前記ペンダントヘッドは２個に限らず３個以上で構成することもできる。
【００１８】
次に、本考案の第４実施形態を図に基づいて説明する。
図５は第４実施形態のリングにＱＲコードを構成する説明図及び図６は同突き合わせた状態の正面図である。
【００１９】
本実施形態の身飾品は２個のリングである。このリングは大径リング３１と小径リング３６からなる。この２個のリング３１、３６の夫々の端面３２、３７を突き合わせた状態で表面にＱＲコード１０を構成する。
この構成方法は、図５のようにリング３１、３６の端面３２、３７を接触せしめ、同時にそれぞれの周面３３、３８の一部を同一面に揃えて、この周面３３、３８上にＱＲコード１０を投影し、投影した部分を適正な深さに彫刻した上で、いぶし加工等を施すことによりより黒く着色して読み取りできるようにするのである。
【００２０】
本実施形態の場合も前記第１実施形態と同様に、通常は２名がリングとして別々に使用し、２個のリング３１、３６を突き合わせたときにＱＲコード１０の内容を読み取ることができるのである。
その他の作用、効果は前記第１実施形態と同様であるため詳細な説明は省略する。
【図面の簡単な説明】
【００２１】
【図１】本考案の第１実施形態のペンダントヘッドを突き合わせた状態の正面図
【図２】本考案の第１実施形態のペンダントヘッドを分離した状態の正面図
【図３】本考案の第２実施形態のペンダントヘッドを突き合わせた状態の正面図
【図４】本考案の第３実施形態のペンダントヘッドを突き合わせた状態の正面図
【図５】本考案の第４実施形態のリングにＱＲコードを構成する説明図
【図６】本考案の第４実施形態のリングを突き合わせた状態の正面図
【符号の説明】
【００２２】
１０  ＱＲコード
１１  月形ペンダント
１２  穴部
１３  バチ環
１４  チェーン
１５  端面
２１  円形ペンダントヘッド
２２  穴部
２３  バチ環
２４  チェーン
２５  端面
３１  大径リング
３２  端面
３３  周面
３６  小径リング
３７  端面
３８  周面
４１  ペンダントヘッド
５１  ペンダントヘッド
６１  ペンダントヘッド
７１  ペンダントヘッド
【図１】
0003133115.tif 000003
【図２】
0003133115.tif 000004
【図３】
0003133115.tif 000005
【図４】
0003133115.tif 000006
【図５】
0003133115.tif 000007
【図６】
0003133115.tif 000008
【手続補正書】
【提出日】平成19年3月19日(2007.3.19)
【手続補正１】
【補正対象書類名】実用新案登録請求の範囲
【補正対象項目名】全文
【補正方法】変更
【補正の内容】
【実用新案登録請求の範囲】
【請求項１】
２個以上の身飾品のそれぞれに、互いに突き合わせるべき端面をあらかじめ構成すると共に、表面にはＱＲコードの一部をあらかじめ構成しておき、前記各身飾品の各々の端面を隙間なく突き合わせ、前記各身飾品に構成したＱＲコードの一部を結合せしめて読み取り可能なＱＲコードとしたＱＲコードを備えた身飾品。
【請求項２】
前記身飾品を２個のペンダントヘッドによって構成し、かつこれらのペンダントヘッドの各々の端面を突き合わせると１個の円形のペンダントヘッドを構成することを特徴とする請求項１記載のＱＲコードを備えた身飾品。
【手続補正２】
【補正対象書類名】明細書
【補正対象項目名】０００５
【補正方法】変更
【補正の内容】
【０００５】
本考案の要旨とするところは、２個以上の身飾品のそれぞれに、互いに突き合わせるべき端面をあらかじめ構成すると共に、表面にはＱＲコードの一部をあらかじめ構成しておき、前記各身飾品の各々の端面を隙間なく突き合わせ、前記各身飾品に構成したＱＲコードの一部を結合せしめて読み取り可能なＱＲコードとしたＱＲコードを備えた身飾品である。
【手続補正３】
【補正対象書類名】明細書
【補正対象項目名】０００６
【補正方法】変更
【補正の内容】
【０００６】
また本考案の要旨とするところは、前記身飾品を２個のペンダントヘッドによって構成し、かつこれらのペンダントヘッドの各々の端面を突き合わせると１個の円形のペンダントヘッドを構成することを特徴とする請求項１記載のＱＲコードを備えた身飾品である。
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
２個以上の身飾品のそれぞれに、互いに突き合わせるべき端面をあらかじめ構成すると共に、表面にはＱＲコード（登録商標）の一部をあらかじめ構成しておき、前記各身飾品の各々の端面を隙間なく突き合わせ、前記各身飾品に構成したＱＲコードの一部を結合せしめて読み取り可能なＱＲコードとしたＱＲコードを備えた身飾品。
【請求項２】
前記身飾品を２個のペンダントヘッドによって構成し、かつこれらのペンダントヘッドの各々の端面を突き合わせると１個の円形のペンダントヘッドを構成することを特徴とする請求項１記載のＱＲコードを備えた身飾品。
【手続補正２】
【補正対象書類名】明細書
【補正対象項目名】０００１
【補正方法】変更
【補正の内容】
【０００１】
本考案は、各々の表面にわたって１個のＱＲコード（登録商標）を構成した２個以上の身飾品に関するものである。